(57)【特許請求の範囲】
【請求項１】
生産現場に設置された１以上の生産設備の保全を支援する設備保全支援システム（１０）であって、
少なくとも１以上のサーバ（２０）と、１以上の端末（２２、３２）と、１以上の管理用モニタ（２６、３０）とが、保全スタッフ事務所（１２）、生産スタッフ事務所（１４）、倉庫（１８）及び生産ライン（１６）毎にそれぞれ必要に応じて配置され、
前記生産ライン（１６）に配置された前記端末（３２）からの保全要請を受け付ける手段（１８０）と、
複数の保全スタッフのうち、少なくとも前記保全要請の内容及び前記複数の保全スタッフの現況に基づいて、前記保全要請に応じた保全担当者の選任を行う手段（２１４）と、
選任された前記保全担当者の要請に従って、前記保全要請の内容に関連する少なくとも部品及び保全履歴に関する情報を保全支援情報として出力する手段（６８）とを有することを特徴とする設備保全支援システム。
【請求項２】
請求項１記載の設備保全支援システムにおいて、
前記生産現場に設置された１以上の生産設備の配置位置を示すレイアウト画面（９４）を、少なくとも前記管理用モニタ（２６、３０）と前記端末（２２、３２）に表示する手段（５２）と、
前記生産ライン（１６）からの要請を前記レイアウト画面（９４）に反映する手段（１８２）と、
前記保全担当者による保全作業の進捗状況を前記レイアウト画面（９４）に反映する手段（１８４）と、を有することを特徴とする設備保全支援システム。
【請求項３】
請求項１又は２記載の設備保全支援システムにおいて、
前記保全要請は、少なくとも機械的トラブルか電気的トラブルかを示す一次判断の情報を含むことを特徴とする設備保全支援システム。
【請求項４】
請求項１〜３のいずれか１項に記載の設備保全支援システムにおいて、
前記保全要請は、前記生産ライン（１６）に配置された前記端末（３２）に、前記生産現場に設置された１以上の生産設備の配置位置を示すレイアウト画面（９４）を表示した状態で、生産スタッフの手入力によって実施されることを特徴とする設備保全支援システム。
【請求項５】
請求項４記載の設備保全支援システムにおいて、
前記生産スタッフの手入力による前記保全要請は、少なくとも保全に必要な部品及び該部品の保管場所に関する情報を含むことを特徴とする設備保全支援システム。
【請求項６】
請求項５記載の設備保全支援システムにおいて、
前記生産スタッフの手入力による前記保全要請は、過去に発生したトラブルに関する情報を含むことを特徴とする設備保全支援システム。
【請求項７】
請求項６記載の設備保全支援システムにおいて、
前記生産スタッフの手入力による前記保全要請は、過去に発生した前記トラブルに対する保全スタッフのコメントに関する情報を含むことを特徴とする設備保全支援システム。
【請求項８】
請求項３記載の設備保全支援システムにおいて、
少なくとも前記生産ライン（１６）に配置された前記端末（３２）は、前記保全担当者による保全作業の開始後になされた二次判断が前記一次判断と異なる場合に、前記保全担当者の指示に基づいて応援要請を行う手段（５６Ａ）を有することを特徴とする設備保全支援システム。
【請求項９】
請求項８記載の設備保全支援システムにおいて、
前記応援要請は、前記生産ライン（１６）に配置された前記端末（３２）に、前記生産現場に設置された１以上の生産設備の配置位置を示すレイアウト画面（９４）を表示した状態で、前記保全担当者の手入力によって実施されることを特徴とする設備保全支援システム。
【請求項１０】
請求項１又は２記載の設備保全支援システムにおいて、
少なくとも前記生産ライン（１６）に配置された前記端末（３２）は、前記保全担当者による保全作業の経過時間が予め設定された時間を超えた時点で、応援要請を行う手段（５６Ｂ）を有することを特徴とする設備保全支援システム。
【請求項１１】
請求項１０記載の設備保全支援システムにおいて、
少なくとも前記生産ライン（１６）に配置された前記端末（３２）は、前記保全担当者による保全作業の経過時間が予め設定された時間を超えた時点で、保全作業の異常を示すアラームを出力することを特徴とする設備保全支援システム。
【請求項１２】
請求項１記載の設備保全支援システムにおいて、
前記生産ライン（１６）に配置された前記端末（３２）は、前記保全スタッフの指示に基づいて、当該生産ライン（１６）の生産設備の保全計画を表示する手段（５０）を有することを特徴とする設備保全支援システム。
【請求項１３】
請求項１記載の設備保全支援システムにおいて、
前記生産ライン（１６）に配置された生産設備の運用状況を監視する設備監視システム（３８）を有し、
前記設備監視システム（３８）は、前記生産設備の異常を検出した際に、前記保全スタッフ事務所（１２）に設置された前記端末（２２）に保全要請を行い、
前記保全スタッフ事務所（１２）に設置された前記端末（２２）は、さらに、前記設備監視システム（３８）からの前記保全要請を受信する手段（１８０）と、受信した保全要請を少なくとも前記保全スタッフ事務所（１２）に設置された前記管理用モニタ（２６）に表示する手段（６８）とを有することを特徴とする設備保全支援システム。
【請求項１４】
少なくとも１以上のサーバ（２０）と、１以上の端末（２２、３２）と、１以上の管理用モニタ（２６、３０）とが、保全スタッフ事務所（１２）、生産スタッフ事務所（１４）、倉庫（１８）及び生産ライン（１６）毎にそれぞれ必要に応じて配置され、生産現場に設置された１以上の生産設備の保全を支援する設備保全支援システム（１０）にて使用される設備保全支援方法であって、
前記生産ライン（１６）に配置された前記端末（３２）からの保全要請を受信するステップと、
複数の保全スタッフのうち、少なくとも前記保全要請の内容及び前記複数の保全スタッフの現況に基づいて、前記保全要請に応じた保全担当者の選任を行うステップと、
選任された前記保全担当者の要請に従って、前記保全要請の内容に関連する少なくとも部品及び保全履歴に関する情報を保全支援情報として出力するステップとを有することを特徴とする設備保全支援方法。
【発明の詳細な説明】
【技術分野】
【０００１】
本発明は、生産現場に設置された生産設備を保守する作業者（保全スタッフ）の作業を支援する設備保全支援システム及び設備保全支援方法に関する。
【背景技術】
【０００２】
従来、設備管理支援システムとしては、例えば特開２００１−１５９９１６号公報に記載されたシステムが知られている。【０００３】
特開２００１−１５９９１６号公報に記載のシステムは、各種設備の設備点検情報を管理するデータ管理装置と、このデータ管理装置と通信インターフェイス装置を介して接続され、データ管理装置との間でデータの送受を行う携帯入出力装置とを備えている。データ管理装置は、各種設備を巡回点検する際の巡回順序を含む設備点検情報を記憶する管理装置側記憶手段を備えている。携帯入出力装置は、入出力装置側記憶手段と、巡回対象表示手段とを備えている。入出力装置側記憶手段は、通信インターフェイス装置を介して取り込まれるデータ管理装置からの設備点検情報を記憶する。巡回対象表示手段は、入出力装置側記憶手段が記憶している設備点検情報に含まれている巡回順序に基づいて所定操作毎に巡回対象を画面上に順次表示する。これにより、携帯入出力装置を用いて、作業員の熟練度に依存することなく、効率よく、且つ、確実に設備の点検を行うことができる、とされている。【０００４】
また、従来では、携帯入出力装置を使用したシステムとして、例えば特開２００５−０４０３７８号公報、特開２００５−０５７５２１号公報及び特開２００５−０６５８５２号公報に記載された病院内のナースコールシステムがある。
【発明の概要】
【０００５】
ところで、工場等の生産現場においては、生産設備が故障した場合等に、現場のスタッフが保全担当部署に連絡をとり、保全スタッフを派遣してもらうことが行われている。
【０００６】
具体的には、生産ラインのオペレータからの保全要請が保全事務所に行われると、ＰＨＳ（Ｐｅｒｓｏｎａｌ  Ｈａｎｄｙ−ｐｈｏｎｅ  Ｓｙｓｔｅｍ）や内線電話を使用して、保全事務所内に待機中の保全スタッフ又は巡回中の保全スタッフの作業状況を個々に確認しながら、保全担当者（contact personnel）を決めて、保全要請先に派遣するようにしている。
【０００７】
また、保全履歴において、保全担当者が保全作業を記入した専用の記録簿で管理しているものの、他の保全スタッフが保全履歴を確認したい場合に、その確認作業に手間取るという問題があった。また、保全担当者によるトラブルに対する保全作業の記録が滞り、次のトラブルに対する対応が遅れるおそれもあった。
【０００８】
さらに、補修品も在庫管理はされているものの、数ヶ月毎に在庫を確認することができる管理帳票が存在するだけであり、補修品の在庫、補修品の収納場所等を確認することが困難であった。
【０００９】
すなわち、従来の保全要請に関する技術では、保全要請から保全完了までの時間の短縮を図ることが困難であった。
【００１０】
本発明はこのような課題を考慮してなされたものであり、生産現場と保全スタッフと管理事務所との間で、通信手段を用いて情報の共有化を図ることができ、保全スタッフの現在の状況や、生産現場からの要請に対する保全作業の進捗状況を一目で把握することができ、生産設備を保守する保全スタッフの作業効率を向上させることができる設備保全支援システム及び設備保全支援方法を提供することを目的とする。
【００１１】
［１］  第１の本発明に係る設備保全支援システムは、生産現場に設置された１以上の生産設備の保全を支援する設備保全支援システムであって、少なくとも１以上のサーバと、１以上の端末と、１以上の管理用モニタとが、保全スタッフ事務所、生産スタッフ事務所、倉庫及び生産ライン毎にそれぞれ必要に応じて配置され、前記生産ラインに配置された前記端末からの保全要請を受け付ける手段と、複数の保全スタッフのうち、少なくとも前記保全要請の内容及び前記複数の保全スタッフの現況に基づいて、前記保全要請に応じた保全担当者の選任を行う手段と、選任された前記保全担当者の要請に従って、前記保全要請の内容に関連する少なくとも部品及び保全履歴に関する情報を保全支援情報として出力する手段とを有することを特徴とする。
【００１２】
これにより、生産現場と保全スタッフと管理事務所との間で、通信手段を用いて情報の共有化を図ることができ、保全スタッフの現在の状況や、生産現場からの要請に対する保全作業の進捗状況を一目で把握することができ、生産設備を保守する保全スタッフの作業効率を向上させることができる。しかも、過去の部品及び保全履歴を参照することで、保全作業をスムーズに進めることが可能となり、過去の保全履歴を利用して、今回の保全作業についての報告も可能となることから、保全完了報告の滞りも解消することができる。例えば保全作業の開始にあたって、保全内容の経緯、交換部品、過去の関係担当者等の記録を保全履歴として提示する。この保全履歴は、保全担当者がトラブル改善を考える上で有意義な情報としても利用することができるため、効率よく保全作業を進めることが可能となり、設備停止時間を短縮して保全作業を実施することができる。
【００１３】
［２］  第１の本発明において、前記生産現場に設置された１以上の生産設備の配置位置を示すレイアウト画面を、少なくとも前記管理用モニタと前記端末に表示する手段と、前記生産ラインからの要請を前記レイアウト画面に反映する手段と、前記保全担当者による保全作業の進捗状況を前記レイアウト画面に反映する手段とを有してもよい。
【００１４】
これにより、生産ライン毎に設置された端末等に接続されたディスプレイやサーバに接続された管理用モニタ等を使って、直接レイアウト画面を見ながら様々な要請（保全要請、応援要請等）を入力することができ、しかも、入力した要請をレイアウト画面に反映させることができる。その結果、要請したスタッフ等以外の者がレイアウト画面を見ることによって、生産設備に対する要請内容を容易に確認することができる。
【００１５】
［３］  第１の本発明において、前記保全要請は、少なくとも機械的トラブルか電気的トラブルかを示す一次判断の情報を含むことが好ましい。これにより、一次判断の情報を含めた保全要請が行われるため、保全担当者を選定する際に、一次判断の情報を有効利用することが可能となり、保全担当者の選定作業並びに選定にかかる時間を短縮することができる。
【００１６】
［４］  第１の本発明において、前記保全要請は、前記生産ラインに配置された前記端末に、前記生産現場に設置された１以上の生産設備の配置位置を示すレイアウト画面を表示した状態で、生産スタッフの手入力によって実施されることが好ましい。これにより、レイアウト画面に保全要請が反映されるため、生産スタッフは、レイアウト画面を見ながら保全要請を行うことで、保全要請が必要な設備に対して正しく保全要請を行ったどうかを容易に確認することができる。
【００１７】
［５］  この場合、前記生産スタッフの手入力による前記保全要請は、少なくとも保全に必要な部品及び該部品の保管場所に関する情報を含むことが好ましい。これにより、保全要請には、保全に必要な部品及び該部品の保管場所に関する情報が含まれているため、保全担当者は、容易に保全に必要な部品を入手することができ、保全作業に着手するまでの時間を短縮することができ、保全作業の効率化を向上させることができる。
【００１８】
［６］  また、前記生産スタッフの手入力による前記保全要請は、過去に発生したトラブルに関する情報を含むことが好ましい。これにより、保全要請には、過去に発生したトラブルに関する情報が含まれているため、保全担当者は、その情報を確認しながら、保全作業を効率よく進めることができ、保全作業の時間を短縮することができ、保全作業の効率化を向上させることができる。
【００１９】
［７］  さらに、前記生産スタッフの手入力による前記保全要請は、過去に発生した前記トラブルに対する保全スタッフのコメントに関する情報を含むことが好ましい。これにより、保全要請には、過去に発生したトラブルに対する保全スタッフのコメントに関する情報が含まれているため、保全担当者が初めて担当する設備でも、そのコメントを参照することで、保全作業を効率よく進めることができ、保全作業の効率化を向上させることができる。
【００２０】
［８］  ［３］において、少なくとも前記生産ラインに配置された前記端末は、前記保全担当者による保全作業の開始後になされた二次判断が前記一次判断と異なる場合に、前記保全担当者の指示に基づいて応援要請を行う手段を有してもよい。
【００２１】
これにより、一次判断の情報を含めた保全要請が行われた後、一次判断が間違いであった場合、保全担当者は例えば専門外の知識で間違った保全作業を行うおそれがある。しかし、二次判断の情報に基づいて応援要請を行うことができることから、保全担当者は応援担当者と共に保全作業を効率よく進めることが可能となり、保全作業の効率化を向上させることができる。
【００２２】
［９］  この場合、前記応援要請は、前記生産ラインに配置された前記端末に、前記生産現場に設置された１以上の生産設備の配置位置を示すレイアウト画面を表示した状態で、前記保全担当者の手入力によって実施されることが好ましい。
【００２３】
これにより、レイアウト画面に応援要請が反映されるため、保全担当者は、レイアウト画面を見ながら応援要請を行うことで、応援要請が必要な設備に対して正しく応援要請を行ったどうかを容易に確認することができる。
【００２４】
［１０］  第１の本発明において、少なくとも前記生産ラインに配置された前記端末は、前記保全担当者による保全作業の経過時間が予め設定された時間を超えた時点で、応援要請を行う手段を有してもよい。
【００２５】
これにより、保全作業の実施にあたって、複雑な保全作業や事前の確認作業が煩雑である場合等においては、時間の経過を忘れ、応援を要請する機会を逸する場合がある。そこで、保全担当者による保全作業の経過時間が予め設定された時間を超えた時点で、応援要請を行えるようにすることで、保全担当者の負担を軽減することができる。しかも、保全担当者は応援担当者と共に保全作業を効率よく進めることが可能となり、保全作業の効率化を向上させることができる。
【００２６】
［１１］  この場合、少なくとも前記生産ラインに配置された前記端末は、前記保全担当者による保全作業の経過時間が予め設定された時間を超えた時点で、保全作業の異常を示すアラームを出力してもよい。
【００２７】
保全担当者による保全作業の経過時間が予め設定された時間を超えた時点で、アラームが出力されることで、保全担当者は、自動的に応援要請が行われたことを認識することができ、応援担当者に対する作業進捗の説明等を事前に準備することが可能となる。その結果、保全担当者は応援担当者と共に保全作業を効率よく進めることが可能となり、保全作業の効率化を向上させることができる。
【００２８】
［１２］  第１の本発明において、前記生産ラインに配置された前記端末は、前記保全スタッフの指示に基づいて、当該生産ラインの生産設備の保全計画を表示する手段を有してもよい。
【００２９】
これにより、通常の保全スタッフによる巡視の際に、生産ラインに配置された端末を用いて保全計画を表示することができ、巡視した日が部品の交換日であったり、駆動部分の摩耗や異音等が発生していることが確認できた場合等に、保全スタッフは、迅速に保全作業に着手することができ、保全要請の頻度を少なくすることが可能となる。
【００３０】
［１３］  第１の本発明において、前記生産ラインに配置された生産設備の運用状況を監視する設備監視システムを有し、前記設備監視システムは、前記生産設備の異常を検出した際に、前記保全スタッフ事務所に設置された前記端末に保全要請を行い、前記保全スタッフ事務所に設置された前記端末は、さらに、前記設備監視システムからの前記保全要請を受信する手段と、受信した保全要請を少なくとも前記保全スタッフ事務所に設置された前記管理用モニタに表示する手段とを有してもよい。
【００３１】
設備監視システムが生産設備の異常を検出した際に、保全スタッフ事務所に設置された端末に保全要請を行うことから、生産スタッフによる手入力による保全要請よりも迅速に保全要請を発することができる。しかも、設備監視システムによる保全要請が保全スタッフ事務所に設置された管理用モニタに表示されることから、保全スタッフは設備監視システムによる保全要請を早期に認識することが可能となり、保全作業が必要な設備に対する保全作業を早期に実施することができる。
【００３２】
［１４］  第２の本発明に係る設備保全支援方法は、少なくとも１以上のサーバと、１以上の端末と、１以上の管理用モニタとが、保全スタッフ事務所、生産スタッフ事務所、倉庫及び生産ライン毎にそれぞれ必要に応じて配置され、生産現場に設置された１以上の生産設備の保全を支援する設備保全支援システムにて使用される設備保全支援方法であって、前記生産ラインに配置された前記端末からの保全要請を受信するステップと、複数の保全スタッフのうち、少なくとも前記保全要請の内容及び前記複数の保全スタッフの現況に基づいて、前記保全要請に応じた保全担当者の選任を行うステップと、選任された前記保全担当者の要請に従って、前記保全要請の内容に関連する少なくとも部品及び保全履歴に関する情報を保全支援情報として出力するステップとを有することを特徴とする。
【発明の効果】
【００３３】
本発明に係る設備保全支援システム及び設備保全支援方法によれば、生産現場と保全スタッフと管理事務所との間で、通信手段を用いて情報の共有化を図ることができ、保全スタッフの現在の状況や、生産現場からの要請に対する保全作業の進捗状況を一目で把握することができ、生産設備を保守する保全スタッフの作業効率を向上させることができる。
【図面の簡単な説明】
【００３４】
【図１】本実施の形態に係る設備保全支援システムの構成を示すブロック図である。
【図２】コール端末に組み込まれた機能部を示すブロック図である。
【図３】保全支援情報表示処理部に含まれる機能部を示すブロック図である。
【図４】設備メイン画面の一例を示す説明図である。
【図５】保全計画画面の一例を示す説明図である。
【図６】設備メイン画面のプルダウンメニューの一例を示す説明図である。
【図７】応援・交代要請画面の一例を示す説明図である。
【図８】設備レイアウト画面の一例を示す説明図である。
【図９】図９Ａ〜図９Ｇは保全要請、応援要請、交代要請並びに保全着手、保全中断、保全完了を示す表示例を示す説明図である。
【図１０】図１０Ａは設備別保全状況一覧（保全着手）の一例を示す説明図であり、図１０Ｂは設備別保全状況一覧（保全中断）の一例を示す説明図である。
【図１１】図１１Ａは設備別保全状況一覧（保全再開）の一例を示す説明図であり、図１１Ｂは設備別保全状況一覧（対応完了）の一例を示す説明図である。
【図１２】設備稼働状況履歴画面の一例を示す説明図である。
【図１３】保全設備作業状況一覧画面（全ラインモニター画面）の一例を示す説明図である。
【図１４】補修部品検索画面の一例を示す説明図である。
【図１５】在庫検索画面の一例を示す説明図である。
【図１６】担当者別作業完了登録画面の一例を示す説明図である。
【図１７】保全履歴リスト画面の一例を示す説明図である。
【図１８】保全履歴詳細画面の一例を示す説明図である。
【図１９】保全管理用サーバに組み込まれた機能部を示すブロック図である。
【図２０】マルチ画面の一例を示す説明図である。
【図２１】保全スタッフ端末に組み込まれた機能部を示すブロック図である。
【図２２】スタッフ現況画面の一例を示す説明図である。
【図２３】本実施の形態に係る設備保全支援システムの処理動作を示すフローチャート（その１）である。
【図２４】本実施の形態に係る設備保全支援システムの処理動作を示すフローチャート（その２）である。
【発明を実施するための形態】
【００３５】
以下、本発明に係る設備保全支援システム及び設備保全支援方法の実施の形態例を図１〜図２４を参照しながら説明する。
【００３６】
［設備保全支援システム１０の概略構成］
本実施の形態に係る設備保全支援システム１０は、図１に示すように、１以上の保全スタッフ事務所１２、１以上の生産スタッフ事務所１４、複数の生産ライン１６及び複数の倉庫１８を有する通常の生産工場に適用される。
【００３７】
設備保全支援システム１０は、少なくとも１以上のサーバと、１以上の端末と、１以上の管理用モニタとが、保全スタッフ事務所１２、生産スタッフ事務所１４、生産ライン１６毎にそれぞれ必要に応じて配置されている。
【００３８】
例えば保全スタッフ事務所１２は、保全管理用サーバ２０を有する。この保全管理用サーバ２０には、保全スタッフ毎の保全スタッフ端末２２と、保全部品に貼付する識別シート（表面にバーコードが印刷されたシート）を発行するバーコードプリンタ２４と、保全管理用モニタ２６とが接続されている。これら保全スタッフ端末２２、バーコードプリンタ２４及び保全管理用モニタ２６が内部バス２８を通じて保全管理用サーバ２０に接続されている。
【００３９】
生産スタッフ事務所１４は、生産管理用モニタ３０が設置されている。もちろん、図示しないが、生産スタッフ事務所１４についても、生産管理用サーバ、並びに、生産スタッフ毎の生産スタッフ端末を有してもよい。
【００４０】
各生産ライン１６には、それぞれコール端末３２が設置されている。好ましくは、各生産ライン１６には、それぞれ生産ライン１６に配置された１以上の設備をセンサ３６等を用いて稼働状況を監視する設備監視システム３８が設置される。
【００４１】
また、保全スタッフ端末２２としては、机等に載置するノート型やデスクトップ型の情報端末や、画面表示を行うことができる携帯型の情報端末等が挙げられる。保全管理用サーバ２０及び各生産ライン１６のコール端末３２は、それぞれ外部バス４０を通じて接続されている。従って、保全管理用サーバ２０、保全スタッフ端末２２、コール端末３２間でデータの送受信が行われる。なお、保全スタッフ端末２２には、それぞれ保全部品に貼付された識別シートのバーコード（単にバーコードと記す）を読み取るバーコードリーダー４２が接続されている。もちろん、保全管理用サーバ２０、保全スタッフ端末２２、コール端末３２間でのデータの送受信を無線で行うようにしてもよい。
【００４２】
保全管理用サーバ２０は、予防保全計画に関するプログラムや生産保全システムデータを含む基幹システム（例えばオペレーティングシステム等）を有する。保全管理用サーバ２０は、各種端末（クライアント）からの要求に従ってファイルやデータを提供する。
【００４３】
次に、設備保全支援システム１０を１つの生産工場に適用した具体例を図２〜図２４を参照しながら説明する。
【００４４】
［コール端末３２の構成］
先ず、コール端末３２に備わる機能部は、図２に示すように、保全計画表示処理部５０、設備レイアウト表示処理部５２、第１保全要請処理部５４Ａ、第１応援要請処理部５６Ａ、第２応援要請処理部５６Ｂ、交代要請処理部５８、保全着手処理部６０、保全中断処理部６２、保全再開処理部６４、保全完了処理部６６、保全支援情報表示処理部６８を有する。なお、設備監視システム３８には、第２保全要請処理部５４Ｂが組み込まれている。
【００４５】
保全支援情報表示処理部６８は、図３に示すように、応援・交代要請画面表示処理部７０、設備稼働状況履歴表示処理部７２、保全作業状況表示処理部７４、補修部品リスト表示処理部７６、在庫検索画面表示処理部７８、作業完了登録画面表示処理部８０、保全履歴リスト表示処理部８２、詳細履歴表示処理部８４を有する。もちろん、保全スタッフ端末２２が携帯可能な端末であれば、保全担当者が保全スタッフ端末２２を携帯して保全作業を行うことが可能である。この場合、保全スタッフ端末２２をコール端末３２として兼用することも可能となる。
【００４６】
また、図２に示すように、コール端末３２にはディスプレイ３２ａが接続されており、ディスプレイ３２ａには、少なくとも設備メイン画面９０（図４参照）、保全計画画面９２（図５参照）、設備レイアウト画面９４（図８参照）等が表示される。
【００４７】
［設備メイン画面９０］
設備メイン画面９０は、例えば図４に示すように、各種ボタンが配列されたボタン表示領域１００と、メッセージが表示されるメッセージ表示領域１０２等を有する。ボタン表示領域１００には、例えば保全要請ボタン１０４、相談要請ボタン１０６、計画着手ボタン１０８、対応完了ボタン１１０等がある。
【００４８】
保全要請ボタン１０４及び相談要請ボタン１０６には、それぞれメカ系統の故障の場合に操作されるメカ保全要請ボタン１０４ａ及びメカ相談要請ボタン１０６ａと、電気系統の故障の場合に操作される電気保全要請ボタン１０４ｂ及び電気相談要請ボタン１０６ｂとがある。メカ系統の故障や相談としては、モータの異音、チェーン切れ、エアー漏れ、油漏れ等が挙げられる。電気系統の故障や相談としては、センサ不良、ダンマリ停止（no alarm line stop：原因が特定できない停止）、電気機器故障等が挙げられる。
【００４９】
また、保全要請ボタン１０４には、保全作業（相談による保全作業を含む）の着手又は再開の際に操作される保全着手／再開ボタン１０４ｃと、保全作業の中断の際に操作される保全中断ボタン１０４ｄとがある。
【００５０】
計画着手ボタン１０８は、予め設定された保全計画の日（会計年度の期初等）に、保全スタッフによって操作されることで、保全計画表示処理部５０（図２参照）が起動される。保全計画表示処理部５０は、図５に示すように、ディスプレイ３２ａや生産管理用モニタ３０（以下、ディスプレイ３２ａ等と記す）に当該設備の保全計画画面９２を表示する。保全計画画面９２は、例えば部品交換の日程や駆動部分のチェック日程等を含む。そして、保全スタッフは、表示された保全計画のうち、計画対象の設備についての計画保全を実施する。
【００５１】
また、設備メイン画面９０は、図４に示すように、３つのタブ（第１タブ１２０ａ〜第３タブ１２０ｃ）を有する。第１タブ１２０ａを操作することで、設備メイン画面９０が表示され、第２タブ１２０ｂを操作することで、生産支援ツールに関するプルダウンメニュー（図示せず）が表示される。同様に、第３タブ１２０ｃを操作することで、図６に示すように、保全活動支援ツールに関するプルダウンメニュー１２２が表示される。
【００５２】
［応援・交代要請画面１２４（プルダウンメニュー：第１項目）］
このプルダウンメニュー１２２は、例えば保全活動を支援するための複数の項目が配列された表示形態となっている。上から第１番目の項目（第１項目）を選択操作することで、応援・交代要請画面表示処理部７０（図３参照）が起動される。応援・交代要請画面表示処理部７０は、図７に示すように、応援・交代要請画面１２４を表示する。この応援・交代要請画面１２４には、応援要請ボタン１２６と交代要請ボタン１２８とがある。
【００５３】
応援要請ボタン１２６及び交代要請ボタン１２８には、それぞれメカ系統の故障の場合に操作されるメカ応援要請ボタン１２６ａ及びメカ交代要請ボタン１２８ａと、電気系統の故障の場合に操作される電気応援要請ボタン１２６ｂ及び電気交代要請ボタン１２８ｂとがある。
【００５４】
［設備メイン画面９０］
例えば設備メイン画面９０（図４参照）のメカ保全要請ボタン１０４ａ、電気保全要請ボタン１０４ｂ、メカ相談要請ボタン１０６ａ、電気相談要請ボタン１０６ｂ、応援・交代要請画面１２４（図７参照）のメカ応援要請ボタン１２６ａ、電気応援要請ボタン１２６ｂ、メカ交代要請ボタン１２８ａ、電気交代要請ボタン１２８ｂのいずれかを操作することで、設備レイアウト表示処理部５２（図２参照）が起動される。設備レイアウト表示処理部５２は、図８に示すように、設備レイアウト画面９４を表示する。
【００５５】
すなわち、設備レイアウト表示処理部５２は、保全管理用サーバ２０に対して設備レイアウト画面９４の画像データあるいは各種要請や各種作業進捗に応じた付加情報の転送を要求する。この要求に対して保全管理用サーバ２０から転送された画像データあるいは付加情報に基づいて設備レイアウト画面９４を表示する。
【００５６】
設備レイアウト画面９４としては、例えば図８に示すように、生産現場の平面図を模した画像１３０と、複数の生産ライン１６の模式図１３２と、各生産ライン１６毎に配列された複数の生産設備を示すシンボル画像１３４とを表示した形態等が挙げられる。
【００５７】
そして、メカ系の保全要請がなされた生産設備（以下、要請設備と記す）については、図９Ａに示すように、要請設備のシンボル画像１３４の例えば右肩に例えば赤色円形１３６Ｒが表示され、電気系の保全要請であれば、図９Ｂに示すように、例えば黄色円形１３６Ｙが表示される。
【００５８】
同様に、メカ系の応援要請又は交代要請がなされた要請設備については、図９Ｃに示すように、要請設備のシンボル画像１３４の例えば右肩に例えば一部が赤色とされた円形１３６ｒｗ（例えば左半円が赤色、右半円が白色）が表示され、電気系の応援要請又は交代要請であれば、図９Ｄに示すように、例えば一部が黄色とされた円形１３６ｙｗ（例えば左半円が黄色、右半円が白色）が表示される。
【００５９】
また、要請設備に対する保全着手であれば、図９Ｅに示すように、要請設備のシンボル画像１３４の例えば右肩に例えば緑色円形１３６Ｇが表示され、保全中断であれば、図９Ｆに示すように、要請設備のシンボル画像１３４の例えば右肩に例えば水色円形１３６Ａが表示され、保全完了であれば、図９Ｇに示すように、要請設備のシンボル画像１３４の例えば右肩に表示されていた円形の表示が消去される。なお、保全要請等がなされていない正常な生産設備についても、図９Ｇに示すように、要請設備のシンボル画像１３４の右肩に何も表示されない。
【００６０】
上述したメカ系の保全要請、電気系の保全要請等に応じて表示される赤色円形や黄色円形等の表示はあくまでも一例であって、設備保全支援システムが設置される工場等の環境等に応じて適宜設定することができる。
【００６１】
［第１保全要請、相談要請］
そして、生産スタッフ等が設備メイン画面９０（図４参照）の例えばメカ保全要請ボタン１０４ａ、電気保全要請ボタン１０４ｂ、メカ相談要請ボタン１０６ａ又は電気相談要請ボタン１０６ｂを操作して、設備レイアウト画面９４（図８参照）を表示させた後、保全要請対象の生産設備を示すシンボル画像１３４を指でタッチあるいはペン状の器具でタッチ等することで、第１保全要請処理部５４Ａ（図２参照）が起動される。
【００６２】
第１保全要請処理部５４Ａは、メカ関係又は電気関係の保全要請を行う。すなわち、保全要請情報を保全管理用サーバ２０及び保全スタッフ端末２２に送信する。
【００６３】
保全要請情報は、例えば保全要請コード、送信元コード、メカ系統又は電気系統の種別及び設備コード等を含む。先頭の保全要請コードは、保全管理用サーバ２０並びに各端末において保全要請情報であることを認識させるための識別コードである。以下、同様である。
【００６４】
送信元コードは、送信元であるコール端末３２の識別コードが用いられる。設備コードは、コール端末３２に一対一で対応付けられた設備の識別情報が用いられる。この場合、要請設備の識別情報が用いられる。
【００６５】
この要請設備の識別情報は、要請設備に到着した保全担当者が、保全要請の内容に関連する少なくとも部品及び保全履歴に関する情報をコール端末３２のディスプレイ３２ａ等に出力する場合等に使用される。
【００６６】
部品及び保全履歴に関する情報としては、例えば保全に必要な部品及び該部品の保管場所、過去に発生したトラブルに関する情報、過去に発生した前記トラブルに対する保全スタッフのコメントに関する情報等が挙げられる。
【００６７】
つまり、要請設備の識別情報は、これらの情報（部品及び保全履歴に関する情報）に関する情報であって、これらの情報を出力するためのキー情報として使用される。
【００６８】
［第２保全要請］
第２保全要請処理部５４Ｂは、図２に示すように、設備監視システム３８に組み込まれている。第２保全要請処理部５４Ｂは、生産ライン１６に配置された設備の稼働状況を監視するセンサ３６からの異常を知らせる信号の入力に基づいて起動され、当該設備で保全要請があったことを保全管理用サーバ２０及び保全スタッフ端末２２に知らせる。すなわち、保全要請情報を保全管理用サーバ２０及び保全スタッフ端末２２に送信する。この場合、例えばセンサ３６の種類に応じてメカ又は電気の区分情報を含めるようにしてもよい。
【００６９】
［第１応援要請］
生産スタッフ等が例えばプルダウンメニュー１２２（図６参照）の第１項目を選択操作することで、応援・交代要請画面表示処理部７０（図２参照）が起動される。応援・交代要請画面表示処理部７０は、コール端末３２のディスプレイ３２ａに、応援・交代要請画面１２４（図７参照）を表示する。
【００７０】
そして、生産スタッフ等が例えばメカ応援要請ボタン１２６ａ又は電気応援要請ボタン１２６ｂを操作して、設備レイアウト画面９４（図８参照）を表示させた後、応援要請対象の生産設備を示すシンボル画像１３４を指でタッチあるいはペン状の器具でタッチ等することで、第１応援要請処理部５６Ａ（図２参照）が起動される。第１応援要請処理部５６Ａは、メカ関係又は電気関係の応援要請を行う。すなわち、第１応援要請情報を保全管理用サーバ２０及び保全スタッフ端末２２に送信する。
【００７１】
第１応援要請情報は、例えば第１応援要請コード、送信元コード、メカ系統又は電気系統の種別及び設備コード等を含む。先頭の第１応援要請コードは、保全管理用サーバ２０並びに各端末において第１応援要請情報（スタッフによる応援要請）であることを認識させるための識別コードである。送信元コード等は上述した保全要請情報と同じであるため、その重複説明を省略する。
【００７２】
第１応援要請は、例えば以下のような場合に行われる。すなわち、要請設備の故障等の状況によっては、複数人で手分けして作業を進める方が効率的な場合がある。また、要請設備が製品の生産において重要度の高い設備（電源装置やコンプレッサ等）であって、早期の修理完了が必要な場合がある。このような場合に、保全担当者は応援（スタッフ）を要請する。
【００７３】
その他、例えば保全要請あるいは相談の際に、メカ関係の故障と判断（一次判断）してメカ保全要請ボタン１０４ａ又はメカ相談要請ボタン１０６ａを操作して保全要請又は相談を行ったところ、保全担当者による判断（二次判断）の結果、メカ関係ではなく、電気関係の故障であった場合、保全担当者等による応援要請が行われる。一次判断が電気関係の故障で、二次判断がメカ関係の故障の場合にも応援要請が行われる。
【００７４】
［第２応援要請］
保全担当者が出動した時点から所定時間（例えば９０分、１２０分等）を経過した段階で、第２応援要請処理部５６Ｂ（図２参照）が起動される。第２応援要請処理部５６Ｂは、メカ関係又は電気関係の応援要請を行う。すなわち、第２応援要請処理部５６Ｂは、第２応援要請情報を保全管理用サーバ２０及び保全スタッフ端末２２に送信する。第２応援要請情報は、例えば第２応援要請コード、送信元コード、メカ系統又は電気系統の種別及び設備コード等を含む。メカ系統又は電気系統の種別は、保全要請情報で使用された種別が使用される。第２応援要請処理部５６Ｂは、応援要請と共に、保全作業の異常を示すアラームを出力する。
【００７５】
［交代要請］
コール端末３２のディスプレイ３２ａに応援・交代要請画面１２４（図７参照）が表示されている場合に、生産スタッフ等が例えばメカ交代要請ボタン１２８ａ又は電気交代要請ボタン１２８ｂを操作して、設備レイアウト画面９４（図８参照）を表示させた後、交代要請対象の生産設備を示すシンボル画像１３４を指でタッチあるいはペン状の器具でタッチ等することで、交代要請処理部５８（図２参照）が起動される。交代要請処理部５８は、メカ関係又は電気関係の交代要請を行う。すなわち、交代要請情報を保全管理用サーバ２０及び保全スタッフ端末２２に送信する。
【００７６】
交代要請情報は、例えば交代要請コード、送信元コード、メカ系統又は電気系統の種別及び設備コード等を含む。先頭の交代要請コードは、保全管理用サーバ２０並びに各端末において交代要請情報（スタッフによる交代要請）であることを認識させるための識別コードである。送信元コード等は上述した保全要請情報と同じであるため、その重複説明を省略する。
【００７７】
そして、保全要請、相談要請、応援要請又は交代要請を行い、選任された保全担当者が出動した段階で、設備メイン画面９０（図４参照）のメッセージ表示領域１０２に、例えば保全担当者が要請設備に移動中であることを示すメッセージが表示される。
【００７８】
交代要請は、例えば以下のような場合に行われる。すなわち、例えば保全要請あるいは相談の際に、メカ関係の故障と判断（一次判断）してメカ保全要請ボタン１０４ａ又はメカ相談要請ボタン１０６ａを操作して保全要請又は相談を行ったところ、保全担当者による判断（二次判断）の結果、メカ関係ではなく、電気関係の故障であった場合、保全担当者等による交代要請が行われる。一次判断が電気関係の故障で、二次判断がメカ関係の故障の場合にも交代要請が行われる。
【００７９】
［保全着手］
当該要請設備に到着した保全担当者が設備メイン画面９０（図４参照）の保全着手／再開ボタン１０４ｃを操作することで、保全着手処理部６０（図２参照）が起動される。保全着手処理部６０は、保全担当者による保全着手があったことを保全管理用サーバ２０に知らせる。すなわち、保全着手処理部６０は、保全着手情報を作成して、保全管理用サーバ２０に送信する。保全着手情報は、例えば保全着手コード、送信元コード、担当者コード、設備コード等を含む。
【００８０】
また、保全着手があった段階で、例えば図１０Ａに示すように、コール端末３２のディスプレイ３２ａに、設備別保全状況一覧１４０が表示される。設備別保全状況一覧１４０には、主に、保全要請等がなされた日時（要請日時）と、設備名と、保全要請等がなされたときの状況（要請時状況）と、現在の状況と、停止時間（分）等が表示される。現在の状況としては、保全担当者が要請設備に向かって移動中であったことを示す「移動中」が表示される。
【００８１】
［保全中断］
保全担当者が設備メイン画面９０の保全中断ボタン１０４ｄ（図４参照）を操作することで、保全中断処理部６２（図２参照）が起動される。保全中断処理部６２は、保全担当者による保全中断があったことを保全管理用サーバ２０に知らせる。すなわち、保全中断処理部６２は、保全中断情報を作成して、保全管理用サーバ２０に送信する。保全中断情報は、例えば保全中断コード、送信元コード、担当者コード、設備コード等を含む。
【００８２】
また、保全中断があった段階で、例えば図１０Ｂに示すように、コール端末３２のディスプレイ３２ａに、設備別保全状況一覧１４０が表示される。設備別保全状況一覧１４０の現在の状況には、保全担当者が保全作業中であったことを示す「対応中」が表示され、さらに、例えば右端部に「中断」を示すシンボル表示が行われる。
【００８３】
［保全再開］
保全中断中に、保全担当者が設備メイン画面９０の保全着手／再開ボタン１０４ｃ（図４参照）を操作することで、保全再開処理部６４（図２参照）が起動される。保全再開処理部６４は、保全担当者による保全再開があったことを保全管理用サーバ２０に知らせる。すなわち、保全再開処理部６４は、保全再開情報を作成して、保全管理用サーバ２０に送信する。保全再開情報は、例えば保全再開コード、送信元コード、担当者コード、設備コード等を含む。
【００８４】
また、保全再開があった段階で、例えば図１１Ａに示すように、コール端末３２のディスプレイ３２ａに、設備別保全状況一覧１４０が表示される。設備別保全状況一覧１４０の現在の状況には、保全作業が中断中であったことを示す「対応中断中」が表示され、さらに、例えば右端部に「再開」を示すシンボル表示が行われる。
【００８５】
保全作業の再開にあたっては、保全要請によって駆けつけた保全担当者ではなく、交代要請によって駆けつけた保全担当者によって行われる場合もある。そこで、例えば保全作業を再開する際に、保全担当者の氏名や担当者コード等を入力する処理を行うようにしてもよい。入力された情報は保全管理用サーバ２０に送信される。
【００８６】
［対応完了］
保全担当者が設備メイン画面９０の対応完了ボタン１１０（図４参照）を操作することで、保全完了処理部６６（図２参照）が起動される。保全完了処理部６６は、保全担当者による保全対応の完了があったことを保全管理用サーバ２０に知らせる。すなわち、保全完了処理部６６は、保全完了情報を作成して、保全管理用サーバ２０に送信する。保全完了情報は、例えば保全完了コード、送信元コード、担当者コード、設備コード等を含む。
【００８７】
また、対応完了があった段階で、例えば図１１Ｂに示すように、コール端末３２のディスプレイ３２ａに、設備別保全状況一覧１４０が表示される。設備別保全状況一覧１４０の現在の状況には、保全担当者が保全作業中であったことを示す「対応中」が表示される。
【００８８】
［プルダウンメニュー：第２項目］
図６のプルダウンメニュー１２２の第２項目を選択操作することで、設備稼働状況履歴表示処理部７２（図３参照）が起動される。設備稼働状況履歴表示処理部７２は、図１２に示すように、ディスプレイ３２ａに設備稼働状況履歴画面１４４を表示する。この設備稼働状況履歴画面１４４は、主に、生産ライン名入力欄１４６ａと、設備名入力欄１４６ｂと、検索ボタン１４６ｃ等を有する。そして、保全担当者等が、生産ライン名入力欄１４６ａに生産ライン名、設備名入力欄１４６ｂに設備名を入力し、検索ボタン１４６ｃを指でタッチあるいはペン状の器具でタッチ等することで、設備稼働状況履歴表示処理部７２は、該当する設備の稼働状況の履歴を表示する。履歴の表示内容としては、発生したイベントの内容とイベントの発生時刻等が挙げられる。
【００８９】
［プルダウンメニュー：第３項目］
図６のプルダウンメニュー１２２の第３項目を選択操作することで、保全作業状況表示処理部７４（図３参照）が起動される。保全作業状況表示処理部７４は、図１３に示すように、ディスプレイ３２ａに保全設備作業状況一覧画面（全ラインモニター画面と記す）１４８を表示する。この全ラインモニター画面１４８には、主に、全製造ラインのうち、保全要請がなされた設備の現在の作業状況が一覧表示される。その内訳は、保全要請が行われた時刻（要請時刻）、稼働停止状態の経過時間（停止／経過時間）、製造ライン名、設備名、現在の作業状況、保全担当者名等が挙げられる。このうち、保全対応中の設備については例えば赤色で表示され、それ以外の設備については例えば青色で表示されて、保全対応中の設備を容易に見分けられるようになっている。
【００９０】
［プルダウンメニュー：第４項目］
図６のプルダウンメニュー１２２の第４項目を選択操作することで、補修部品リスト表示処理部７６（図３参照）が起動される。補修部品リスト表示処理部７６は、図１４に示すように、ディスプレイ３２ａに補修部品検索画面１５０を表示する。この補修部品検索画面１５０は、主に、リスト表示領域１５２ａと図面表示領域１５２ｂとを有する。リスト表示領域１５２ａは、補修部品の型式と部品名とがリスト形式で表示される。図面表示領域１５２ｂは、図示を省略するが、リスト表示領域１５２ａへの選択入力（ポインタやタッチ等による選択入力）によって選択された補修部品の外観や透視図等が表示される。
【００９１】
［プルダウンメニュー：第５項目］
図６のプルダウンメニュー１２２の第５項目を選択操作することで、在庫検索画面表示処理部７８（図３参照）が起動される。在庫検索画面表示処理部７８は、図１５に示すように、ディスプレイ３２ａに在庫検索画面１５４を表示する。この在庫検索画面１５４には、主に、補修部品の型式入力欄１５６ａと、部品名入力欄１５６ｂと、補修部品のリスト画面１５６ｃと、検索ボタン１５６ｄと、補修部品が保管されている複数の倉庫の位置を示す配置画面１５６ｅ等が表示される。
【００９２】
例えば保全担当者等が補修部品を入手する場合、補修部品の保管場所、すなわち、倉庫の位置を知る必要がある。そこで、型式入力欄１５６ａと部品名入力欄１５６ｂに該当する型式と部品名を入力し、検索ボタン１５６ｄを指でタッチあるいはペン状の器具でタッチ等することで、補修部品のリスト画面１５６ｃに、入手すべき補修部品の内訳が表示されると共に、配置画面１５６ｅに、入手すべき補修部品が保管されている倉庫の位置が表示される。この場合、倉庫の位置を示す番号が例えば赤色表示や点滅表示等で示される。
【００９３】
補修部品を入手する場合は、例えば保全担当者が保全作業を中断して、該当する倉庫から補修部品を入手したり、他の保全スタッフに補修部品の情報（型式、部品名、倉庫の位置等）を伝えて、補修部品を手配してもらう等が挙げられる。
【００９４】
［プルダウンメニュー：第６項目］
保全完了後に、図６に示すプルダウンメニュー１２２の第６項目を選択操作することで、作業完了登録画面表示処理部８０（図３参照）が起動される。作業完了登録画面表示処理部８０は、先ず、ディスプレイ３２ａに設備別保全状況一覧１４０（図１１Ｂ参照）を表示する。この設備別保全状況一覧１４０では、主に、保全要請がなされた日時（要請日時）と、設備名と、保全要請がなされたときの状況（要請時状況）と、現在の状況と、停止時間（分）等が表示される。
【００９５】
表示された設備のうち、担当者別の作業完了登録を行う設備を選択することで、作業完了登録画面表示処理部８０は、図１６に示すように、担当者別作業完了登録画面１５８を表示する。この担当者別作業完了登録画面１５８では、主に、担当者毎に、担当者名、受付時刻、着手時刻、対応時間が表示される。
【００９６】
そして、担当者毎に該当する行を選択することで、作業完了登録画面表示処理部８０は、担当者毎に、対応完了を登録した旨のメッセージを表示する。この段階で、担当者別の作業完了登録が終了する。
【００９７】
［プルダウンメニュー：第７項目］
図６のプルダウンメニュー１２２の第７項目を選択操作することで、保全履歴リスト表示処理部８２（図３参照）が起動される。保全履歴リスト表示処理部８２は、図１７に示すように、保全履歴リスト画面１６０を表示する。この保全履歴リスト画面１６０は、主に、項目入力領域１６２ａと、履歴一覧表示領域１６２ｂとを有する。項目入力領域１６２ａは、履歴一覧が膨大な情報量であるため、例えば期間、機種名、ライン名、設備名で絞って表示することができるようになっている。絞り込みのための項目としては、例えば期間、機種名、ライン名、設備名、作成状況、履歴種別等が挙げられる。
【００９８】
そして、これらの絞り込みのための項目に入力することで、保全履歴リスト表示処理部８２は、保全管理用サーバ２０に対して、該当する設備の履歴情報の転送を要求する。保全管理用サーバ２０は、コール端末３２からの上記転送要求に基づいて、後述する保全履歴データベース１９８（図１９参照）から該当する設備の保全履歴を読み出して、要求のあったコール端末３２に送信する。
【００９９】
保全履歴リスト表示処理部８２は、保全管理用サーバ２０からの保全履歴データを受け取り、その内容を履歴一覧表示領域１６２ｂ（図１７参照）に表示する。履歴一覧表示領域１６２ｂには、主に、製造ライン名、設備名、履歴種別（突発故障、相談／計画の区別）、発生日時、保全担当者名、停止時間、履歴、備考等がリスト形式で表示される。また、履歴一覧表示領域１６２ｂに表示された複数の行のうち、種類の内容が「突発故障」の行が赤色で表示され、相談／計画の行が例えば青色で表示され、容易に見分けられるようになっている。
【０１００】
また、この保全履歴リスト画面１６０には、保全履歴詳細画面１７０（図１８参照）を表示するための履歴表示ボタン１６４を有する。この履歴表示ボタン１６４を指でタッチあるいはペン状の器具でタッチ等することで、詳細履歴表示処理部８４（図３参照）が起動される。詳細履歴表示処理部８４は、詳細な履歴を入力するための保全履歴詳細画面１７０（図１８参照）を表示する。
【０１０１】
保全履歴詳細画面１７０には、部門、設備名、発生日時、停止時間等のシステムが自動で入力する項目と、事象、原因、処置等を担当した保全スタッフが入力する項目がある。つまり、保全スタッフは、部門や設備名等を入力する必要がなく、事象、原因、処置等を入力すればよいため、入力の時間短縮を図ることができる。
【０１０２】
入力が完了することで、上述した保全履歴リスト表示処理部８２は、図１７に示す保全履歴リスト画面１６０のうち、履歴一覧表示領域１６２ｂに表示された履歴一覧のうち、入力対象の設備について、履歴の項目の内容を「未作成」から「作成済み」に変える。その後、保全履歴リスト表示処理部８２は、入力が完了した当該設備の保全履歴データを保全管理用サーバ２０に送信する。保全管理用サーバ２０は、要請設備からの保全履歴データを保全履歴データベース１９８（図１９参照）に登録する。
【０１０３】
［保全管理用サーバ２０］
保全管理用サーバ２０は、図１９に示すように、要請進捗受付部１８０と、要請反映部１８２と、作業進捗反映部１８４と、保全履歴管理部１８６と、保全管理画面表示処理部１８８と、補修部品反映部１９０と、要請一時保存ファイル１９２と、作業進捗一時保存ファイル１９４とを有する。また、この保全管理用サーバ２０には、保全履歴データベース１９８と補修部品データベース２００とが接続されている。
【０１０４】
要請進捗受付部１８０は、コール端末３２からの第１保全要請、設備監視システム３８からの第２保全要請、コール端末３２からの応援要請、交代要請等の各種要請のほか、保全着手、保全中断、保全再開等の作業進捗情報を受け付ける。
【０１０５】
要請反映部１８２は、要請進捗受付部１８０にて受け付けた各種要請を要請一時保存ファイル１９２に登録し、さらに、保全履歴データベース１９８に登録する。
【０１０６】
また、要請反映部１８２は、要請一時保存ファイル１９２に登録された各種要請を設備レイアウト画面９４（図８参照）に反映する。この場合、例えば要請設備に対するメカ系の保全要請であれば、要請設備のシンボル画像１３４の例えば右肩に赤色円形１３６Ｒ（図９Ａ参照）を表示し、電気系の保全要請であれば、黄色円形１３６Ｙ（図９Ｂ参照）を表示する付加情報等を全ての端末に送信して、情報を共有する。もちろん、付加情報が反映された設備レイアウト画面９４の画像データを送信してもよい。
【０１０７】
また、要請反映部１８２は、例えば要請設備に対するメカ系の応援要請又は交代要請であれば、要請設備のシンボル画像１３４の例えば右肩に一部が赤色とされた円形１３６ｒｗ（図９Ｃ参照）、電気系の応援要請又は交代要請であれば一部が黄色とされた円形１３６ｙｗ（図９Ｄ参照）を表示する付加情報を全ての端末に送信して、情報を共有する。もちろん、付加情報が反映された設備レイアウト画面９４の画像データを送信してもよい。
【０１０８】
作業進捗反映部１８４は、要請進捗受付部１８０にて受け付けた各種作業進捗情報を作業進捗一時保存ファイル１９４に登録し、さらに、保全履歴データベース１９８に登録する。
【０１０９】
また、作業進捗反映部１８４は、作業進捗一時保存ファイル１９４に登録された各種作業進捗を設備レイアウト画面９４（図８参照）に反映する。この場合、例えば要請設備に対する保全着手であれば、要請設備のシンボル画像１３４の例えば右肩に緑色円形１３６Ｇ（図９Ｅ参照）を表示し、保全中断であれば、要請設備のシンボル画像１３４の例えば右肩に水色円形１３６Ａ（図９Ｆ参照）を表示し、保全完了であれば、図９Ｇに示すように、要請設備のシンボル画像１３４の例えば右肩に表示されていた円形の表示を消去する付加情報を全ての端末に送信して、情報を共有する。もちろん、付加情報が反映された設備レイアウト画面９４の画像データを送信してもよい。
【０１１０】
また、作業進捗情報が保全完了であれば、保全完了となった要請設備に関し、要請一時保存ファイル１９２及び作業進捗一時保存ファイル１９４に登録されていた保全要請、応援要請等の情報が消去される。
【０１１１】
保全履歴管理部１８６は、要請一時保存ファイル１９２及び作業進捗一時保存ファイル１９４に格納された情報を、要請された各種端末（コール端末３２、保全スタッフ端末２２等）に送信する。これによって、各コール端末３２、各保全スタッフ端末２２等において、各設備での要請状況や作業進捗状況が設備レイアウト画面９４、設備稼働状況履歴画面１４４、全ラインモニター画面１４８等に反映される。
【０１１２】
また、保全履歴管理部１８６は、コール端末３２あるいは保全スタッフ端末２２から送信された保全履歴情報、すなわち、保全履歴詳細画面１７０に入力した各種情報を保全履歴データベース１９８に保存する。
【０１１３】
保全管理画面表示処理部１８８は、図２０に示すように、保全管理用モニタ２６に、設備レイアウト画面９４と全ラインモニター画面１４８とを含むマルチ画面２０２を表示する。これによって、各生産ライン１６の要請設備での保全状況がテキスト情報と画像情報とによって一目で確認することができる。
【０１１４】
また、図１９に示すように、上述した要請進捗受付部１８０は、保全スタッフ端末２２からの保全担当者の情報を保全履歴データベース１９８、要請一時保存ファイル１９２、作業進捗一時保存ファイル１９４に登録する。また、要請進捗受付部１８０は、要請設備のコール端末３２に対してメッセージ表示のための情報（保全担当者の名前、担当者コード等）を送信する。
【０１１５】
補修部品反映部１９０は、例えば保全スタッフ端末２２等での出庫処理によって入力された補修部品の使用個数等の情報を補修部品データベース２００に反映する。
【０１１６】
［保全スタッフ端末２２］
次に、保全スタッフ端末２２に備わる機能部について、図２１を参照しながら説明する。
【０１１７】
保全スタッフ端末２２は、図２１に示すように、コール端末３２等からの各種要請を受信する要請受信部２１０と、保全スタッフの現在の状況を示したスタッフ現況画面２１２（図２２参照）を表示するスタッフ現況表示処理部２１４と、保全担当者通知部２１６と、出庫処理部２１８と、コール端末３２と同様の保全支援情報表示処理部６８とを有する。保全支援情報表示処理部６８を有することから、保全スタッフ端末２２からも応援要請や交代要請を行うことができる。
【０１１８】
また、保全スタッフ端末２２は、設備レイアウト表示処理部５２を有する。従って、保全要請等を反映した設備レイアウト画面９４をディスプレイ２２ａ並びに保全管理用モニタ２６に表示することができる。
【０１１９】
通常は、保全管理用モニタ２６には、保全管理用サーバ２０からのマルチ画面２０２が表示されるが、保全スタッフ端末２２からの設備レイアウト画面９４も表示させることができる。
【０１２０】
要請受信部２１０は、コール端末３２からの第１保全要請、設備監視システム３８からの第２保全要請、コール端末３２からの応援要請、交代要請等の各種要請を受信する。
【０１２１】
スタッフ現況画面２１２は、図２２に示すように、メカ担当領域２２０ａと電気担当領域２２０ｂとに分かれ、メカ担当領域２２０ａには、メカ担当スタッフの人数と同じ数の長方形状のブロック２２２が表示され、電気担当領域２２０ｂには、電気担当スタッフの人数と同じ数の長方形状のブロック２２２が表示される。ブロック２２２の表示色は、現在待機中であれば、緑色に表示され、保全作業中（応援中、交代中を含む）であれば、グレーに表示される。
【０１２２】
従って、新たな保全要請等があれば、緑色に表示されているブロック２２２に対応する保全スタッフから保全担当者が選択される。すなわち、待機中の保全スタッフに事前に連絡をとり、了解が得られた段階で、当該保全スタッフに出動を要請すると共に、スタッフ現況画面２１２のうち、今回選択した保全スタッフのブロック２２２を指でタッチあるいはペン状の器具でタッチ等する。これにより、保全担当者通知部２１６が起動され、少なくとも選択されたブロック２２２に対応する保全担当者の情報（担当者コード等）を保全管理用サーバ２０に送信する。
【０１２３】
保全管理用サーバ２０の要請進捗受付部１８０（図１９参照）は、通知された保全スタッフの情報と受信した時刻（出動時刻）を、保全履歴データベース１９８、要請一時保存ファイル１９２、作業進捗一時保存ファイル１９４に登録する。
【０１２４】
一方、保全スタッフ端末２２の出庫処理部２０８（図２１参照）は、図６のプルダウンメニュー１２２の第５項目を選択操作することで、在庫検索画面表示処理部７８（図３参照）と共に起動される。在庫検索画面表示処理部７８は、図１５に示すように、ディスプレイ２２ａに在庫検索画面１５４を表示する。保全担当者は、部品交換した補修部品の型式、部品名称及び保管場所に対応する欄の在庫数から部品交換した個数だけ差し引く入力を行う。出庫処理部２０８は、入力された情報を保全管理用サーバ２０に送信する。
【０１２５】
保全管理用サーバ２０の補修部品反映部１９０（図１９参照）は、上述したように、出庫処理部２０８からの情報を受け取って、入力された在庫数を、補修部品データベース２００に反映する。これによって、倉庫１８内の実際の在庫数と、補修部品データベース２００に登録されたデータとしての在庫数とが一致することとなる。
【０１２６】
次に、本実施の形態に係る設備保全支援システムの処理動作について、図２３及び図２４のフローチャートも参照しながら説明する。
【０１２７】
先ず、図２３のステップＳ１において、保全要請があるか否かを判別する。具体的には、コール端末３２は、第１保全要請があるか否かを判別し、設備監視システム３８は、第２保全要請があるか否かを判別する。
【０１２８】
第１保全要請及び第２保全要請がなければ、ステップＳ２に進み、保全計画表示処理部５０は、保全計画の確認又は保全計画による保全作業であるか否かを判別する。この判別は、設備メイン画面９０（図４参照）の計画着手ボタン１０８の操作が行われたかどうかで行われる。
【０１２９】
設備メイン画面９０の計画着手ボタン１０８の操作が行われた場合は、ステップＳ３に進み、コール端末３２のディスプレイ３２ａ等に保全計画画面９２（図５参照）を表示する。
【０１３０】
その後、ステップＳ４において、保全スタッフは、表示された保全計画のうち、計画対象の設備についての計画保全を実施する。
【０１３１】
上記ステップＳ４での処理が終了した段階、あるいは、上記ステップＳ２において、計画着手ボタン１０８の操作が行われていないと判別された場合は、上記ステップＳ１に戻り、ステップＳ１以降の処理を繰り返す。
【０１３２】
そして、上記ステップＳ１において、コール端末３２からの第１保全要請又は設備監視システム３８からの第２保全要請があると判別された場合は、ステップＳ５に進み、保全管理用サーバ２０及び保全スタッフ端末２２は、コール端末３２からの第１保全要請又は設備監視システム３８からの第２保全要請を受け付ける。このとき、保全管理用サーバ２０（図１９参照）の要請反映部１８２は、第１保全要請又は第２保全要請を要請一時保存ファイル１９２及び保全履歴データベース１９８に登録する。さらに、第１保全要請又は第２保全要請を、コール端末３２、保全スタッフ端末２２等の設備レイアウト画面９４（図８参照）に反映する。
【０１３３】
ステップＳ６において、保全スタッフは、コール端末３２からの第１保全要請又は設備監視システム３８からの第２保全要請に基づいて、例えばスタッフ現況画面２１２（図２２参照）を見ながら保全担当者を選任する。保全スタッフ端末２２は、第１保全要請又は第２保全要請に応じて選任された保全担当者の情報を保全管理用サーバ２０に送信する。
【０１３４】
ステップＳ７において、選任された保全担当者が要請設備に出動する。このとき、保全管理用サーバ２０の要請進捗受付部１８０は、保全スタッフ端末２２からの保全担当者の情報を保全履歴データベース１９８等に登録すると共に、要請設備のコール端末３２に送信する。これにより、要請設備のコール端末３２の設備メイン画面９０（図４参照）のメッセージ表示領域１０２に、例えば保全担当者が要請設備に移動中であることを示すメッセージが表示される。
【０１３５】
ステップＳ８において、要請設備に到着した保全担当者が着手／再開ボタン１０４ｃ（図４参照）を操作することで、保全作業の着手が開始される。このとき、コール端末３２は、保全担当者による保全着手があったことを保全管理用サーバ２０に知らせる。保全管理用サーバ２０は、コール端末３２からの保全着手に関する情報を受け付ける。このとき、作業進捗反映部１８４は、保全着手を示す作業進捗情報を作業進捗一時保存ファイル１９４及び保全履歴データベース１９８に登録する。さらに、保全着手があったことを、コール端末３２、保全スタッフ端末２２等の設備レイアウト画面９４（図８参照）に反映する。
【０１３６】
その後、図２４のステップＳ９において、コール端末３２は保全作業の中断があるか否かを判別する。この判別は、設備メイン画面９０の保全中断ボタン１０４ｄ（図４参照）の操作が行われたかどうかで行われる。保全作業の中断であれば、ステップＳ１０に進み、コール端末３２は、保全担当者による保全中断があったことを保全管理用サーバ２０に知らせる。保全管理用サーバ２０は、コール端末３２からの保全中断に関する情報を受け付ける。作業進捗反映部１８４は、保全中断を示す作業進捗情報を作業進捗一時保存ファイル１９４及び保全履歴データベース１９８に登録する。さらに、保全中断があったことを、コール端末３２、保全スタッフ端末２２等の設備レイアウト画面９４（図８参照）に反映する。
【０１３７】
その後、ステップＳ１１において、コール端末３２は、保全中断が応援要請によるものか否かを判別する。この判別は、応援・交代要請画面１２４（図７参照）の応援要請ボタン１２６の操作が行われたかどうかで行われる。応援要請であれば、ステップＳ１２に進み、コール端末３２は、保全担当者による応援要請があったことを保全管理用サーバ２０に知らせる。保全管理用サーバ２０は、コール端末３２からの応援要請に関する情報を受け付ける。要請反映部１８２は、応援要請に関する情報を要請一時保存ファイル１９２及び保全履歴データベース１９８に登録する。さらに、応援要請があったことを、コール端末３２、保全スタッフ端末２２等の設備レイアウト画面９４（図８参照）に反映する。
【０１３８】
上記ステップＳ１１において、応援要請でないと判別された場合は、ステップＳ１３に進み、コール端末３２は、保全中断が交代要請によるものか否かを判別する。この判別は、応援・交代要請画面１２４（図７参照）の交代要請ボタン１２８の操作が行われたかどうかで行われる。交代要請であれば、ステップＳ１４に進み、コール端末３２は、保全担当者による交代要請があったことを保全管理用サーバ２０に知らせる。保全管理用サーバ２０は、コール端末３２からの交代要請に関する情報を受け付ける。要請反映部１８２は、交代要請に関する情報を要請一時保存ファイル１９２及び保全履歴データベース１９８に登録する。さらに、交代要請があったことを、コール端末３２、保全スタッフ端末２２等の設備レイアウト画面９４（図８参照）に反映する。
【０１３９】
上記ステップＳ１２又は上記ステップＳ１４での処理が終了した段階、あるいは、上記ステップＳ１３において、交代要請でないと判別された場合、例えば保全担当者の休憩等による中断である場合は、ステップＳ１５に進み、コール端末３２は、保全再開であるか否かを判別する。この判別は、設備メイン画面９０（図４参照）の保全着手／再開ボタン１０４ｃの操作が行われたかどうかで行われる。保全作業の再開であれば、ステップＳ１６に進み、コール端末３２は、保全担当者による保全再開があったことを保全管理用サーバ２０に知らせる。保全管理用サーバ２０は、コール端末３２からの保全再開に関する情報を受け付ける。作業進捗反映部１８４は、保全再開を示す作業進捗情報を作業進捗一時保存ファイル１９４及び保全履歴データベース１９８に登録する。さらに、保全再開があったことを、コール端末３２、保全スタッフ端末２２等の設備レイアウト画面９４（図８参照）に反映する。
【０１４０】
上記ステップＳ１６での処理が終了した段階、あるいは、上記ステップＳ９において保全作業の中断でないと判別された場合は、次のステップＳ１７に進み、コール端末３２は、保全作業の完了であるか否かを判別する。この判別は、設備メイン画面９０（図４参照）の対応完了ボタン１１０の操作が行われたかどうかで行われる。保全作業の完了であれば、ステップＳ１８に進み、コール端末３２は、保全担当者による保全完了があったことを保全管理用サーバ２０に知らせる。保全管理用サーバ２０は、コール端末３２からの保全完了に関する情報を受け付ける。作業進捗反映部１８４は、保全完了を示す作業進捗情報を作業進捗一時保存ファイル１９４及び保全履歴データベース１９８に登録する。さらに、保全完了があったことを、コール端末３２、保全スタッフ端末２２等の設備レイアウト画面９４（図８参照）に反映する。
【０１４１】
その後、ステップＳ１９において、保全担当者等は出庫処理を行う。すなわち、補修部品反映部１９０（図１９参照）は、例えば保全スタッフ端末２２等での出庫処理によって入力された補修部品の使用個数等の情報を補修部品データベース２００に反映する。
【０１４２】
その後、ステップＳ２０において、保全担当者は、今回の保全作業の履歴を作成して、保全履歴を更新する。すなわち、例えば保全スタッフ端末２２のディスプレイ２２ａに保全履歴リスト画面１６０（図１７参照）を表示した後、担当した要請設備を選択して、履歴表示ボタン１６４を操作することで、要請設備の保全履歴詳細画面１７０（図１８参照）を表示する。そして、要請設備の事象、原因及び処置を入力し、交換した補修部品があれば、その形式、部品名称、出庫場所、使用数量等を入力する。もちろん、交換した補修部品の入力に関しては、先に入力した出庫処理と関連付けるようにして、入力を省略してもよい。
【０１４３】
このように、本実施の形態に係る設備保全支援システム１０は、生産ライン１６に配置されたコール端末３２からの保全要請を受け付ける要請進捗受付部１８０と、複数の保全スタッフのうち、少なくとも保全要請の内容及び複数の保全スタッフの現況に基づいて、保全要請に応じた保全担当者の選任を行うために利用されるスタッフ現況表示処理部２１４と、選任された保全担当者の要請に従って、保全要請の内容に関連する少なくとも部品及び保全履歴に関する情報を保全支援情報として出力する保全支援情報表示処理部６８とを有する。
【０１４４】
これにより、生産現場と保全スタッフと管理事務所（保全スタッフ事務所１２）との間で、通信手段を用いて情報の共有化を図ることができ、保全スタッフの現在の状況や、生産現場からの要請に対する保全作業の進捗状況を一目で把握することができ、生産設備を保守する保全スタッフの作業効率を向上させることができる。しかも、過去の部品及び保全履歴を参照することで、保全作業をスムーズに進めることが可能となり、過去の保全履歴を利用して、今回の保全作業についての報告も可能となることから、保全完了報告の滞りも解消することができる。例えば保全作業の開始にあたって、保全内容の経緯、交換部品、過去の関係担当者等の記録を保全履歴として提示する。この保全履歴は、保全担当者がトラブル改善を考える上で有意義な情報としても利用することができるため、効率よく保全作業を進めることが可能となり、設備停止時間を短縮して保全作業を実施することができる。
【０１４５】
本実施の形態において、生産現場に設置された１以上の生産設備の配置位置を示す設備レイアウト画面９４を、少なくとも保全管理用モニタ２６とコール端末３２に表示する設備レイアウト表示処理部５２と、生産ライン１６からの要請を設備レイアウト画面９４に反映する要請反映部１８２と、保全担当者による保全作業の進捗状況を設備レイアウト画面９４に反映する作業進捗反映部１８４とを有する。
【０１４６】
これにより、生産ライン１６毎に設置されたコール端末３２等に接続されたディスプレイ３２ａや保全管理用サーバ２０に接続された保全管理用モニタ２６等を使って、直接設備レイアウト画面９４を見ながら様々な要請（保全要請、応援要請等）を入力することができ、しかも、入力した要請を設備レイアウト画面９４に反映させることができる。その結果、要請したスタッフ等以外の者が設備レイアウト画面９４を見ることによって、生産ラインに対する要請内容を容易に確認することができる。
【０１４７】
本実施の形態において、保全要請は、少なくとも機械的トラブルか電気的トラブルかを示す一次判断の情報を含む。これにより、一次判断の情報を含めた保全要請が行われるため、保全担当者を選定する際に、一次判断の情報を有効利用することが可能となり、保全担当者の選定作業並びに選定にかかる時間を短縮することができる。
【０１４８】
本実施の形態において、保全要請は、生産ライン１６に配置されたコール端末３２に、生産現場に設置された１以上の生産設備の配置位置を示す設備レイアウト画面９４を表示した状態で、生産スタッフの手入力によって実施する。これにより、設備レイアウト画面９４に保全要請が反映されるため、生産スタッフは、設備レイアウト画面９４を見ながら保全要請を行うことで、保全要請が必要な設備に対して正しく保全要請を行ったどうかを容易に確認することができる。
【０１４９】
この場合、生産スタッフの手入力による保全要請は、少なくとも保全に必要な部品及び該部品の保管場所に関する情報を含む。これにより、保全要請には、保全に必要な部品及び該部品の保管場所に関する情報が含まれているため、保全担当者は、容易に保全に必要な部品を入手することができ、保全作業に着手するまでの時間を短縮することができ、保全作業の効率化を向上させることができる。
【０１５０】
また、生産スタッフの手入力による保全要請は、過去に発生したトラブルに関する情報（履歴一覧をアクセスするためのキー：設備番号等）を含むことが好ましい。これにより、保全要請には、過去に発生したトラブルに関する情報が含まれているため、保全担当者は、その情報を確認しながら、保全作業を効率よく進めることができ、保全作業の時間を短縮することができ、保全作業の効率化を向上させることができる。
【０１５１】
さらに、生産スタッフの手入力による保全要請は、過去に発生したトラブルに対する保全スタッフのコメントに関する情報（履歴一覧をアクセスするためのキー：設備番号等）を含むことが好ましい。これにより、保全要請には、過去に発生したトラブルに対する保全スタッフのコメントに関する情報が含まれているため、保全担当者が初めて担当する設備でも、そのコメントを参照することで、保全作業を効率よく進めることができ、保全作業の効率化を向上させることができる。
【０１５２】
本実施の形態において、少なくとも生産ライン１６に配置されたコール端末３２は、保全担当者による保全作業の開始後になされた二次判断が一次判断と異なる場合に、保全担当者の指示に基づいて応援要請を行う第１応援要請処理部５６Ａを有する。
【０１５３】
これにより、一次判断の情報を含めた保全要請が行われた後、一次判断が間違いであった場合、保全担当者は例えば専門外の知識で間違った保全作業を行うおそれがある。しかし、二次判断の情報に基づいて応援要請を行うことができることから、保全担当者は応援担当者と共に保全作業を効率よく進めることが可能となり、保全作業の効率化を向上させることができる。
【０１５４】
この場合、応援要請は、生産ライン１６に配置されたコール端末３２に、生産現場に設置された１以上の生産設備の配置位置を示す設備レイアウト画面９４を表示した状態で、保全担当者の手入力によって実施される。
【０１５５】
これにより、設備レイアウト画面９４に応援要請が反映されるため、保全担当者は、設備レイアウト画面９４を見ながら応援要請を行うことで、応援要請が必要な設備に対して正しく応援要請を行ったどうかを容易に確認することができる。
【０１５６】
本実施の形態において、少なくとも生産ライン１６に配置されたコール端末３２は、保全担当者による保全作業の経過時間が予め設定された時間を超えた時点で、応援要請を行う第２応援要請処理部５６Ｂを有してもよい。
【０１５７】
これにより、保全作業の実施にあたって、複雑な保全作業や事前の確認作業が煩雑である場合等においては、時間の経過を忘れ、応援を要請する機会を逸する場合がある。そこで、保全担当者による保全作業の経過時間が予め設定された時間を超えた時点で、応援要請を行えるようにすることで、保全担当者の負担を軽減することができる。しかも、保全担当者は応援担当者と共に保全作業を効率よく進めることが可能となり、保全作業の効率化を向上させることができる。
【０１５８】
この場合、少なくとも生産ライン１６に配置されたコール端末３２は、保全担当者による保全作業の経過時間が予め設定された時間を超えた時点で、保全作業の異常を示すアラームを出力する。
【０１５９】
保全担当者による保全作業の経過時間が予め設定された時間を超えた時点で、アラームが出力されることで、保全担当者は、自動的に応援要請が行われたことを認識することができ、応援担当者に対する作業進捗の説明等を事前に準備することが可能となる。その結果、保全担当者は応援担当者と共に保全作業を効率よく進めることが可能となり、保全作業の効率化を向上させることができる。
【０１６０】
本実施の形態において、生産ライン１６に配置されたコール端末３２は、保全スタッフの指示に基づいて、当該生産ライン１６の生産設備の保全計画を表示する保全計画表示処理部５０を有する。
【０１６１】
これにより、通常の保全スタッフによる巡視の際に、生産ライン１６に配置されたコール端末３２を用いて保全計画を表示することができ、巡視した日が部品の交換日であったり、駆動部分の摩耗や異音等が発生していることが確認できた場合等に、保全スタッフは、迅速に保全作業に着手することができ、保全要請の頻度を少なくすることが可能となる。
【０１６２】
本実施の形態において、生産ライン１６に配置された生産設備の運用状況を監視する設備監視システム３８を有し、設備監視システム３８は、生産設備の異常を検出した際に、保全スタッフ事務所１２に設置された保全スタッフ端末２２に保全要請を行う。保全スタッフ端末２２は、さらに、設備監視システム３８からの第２保全要請を受信する要請進捗受付部１８０と、受け付けた第２保全要請を少なくとも保全スタッフ事務所１２に設置された保全管理用モニタ２６に表示する設備レイアウト表示処理部５２とを有する。
【０１６３】
設備監視システム３８が生産設備の異常を検出した際に、保全スタッフ事務所１２に設置された保全スタッフ端末２２に保全要請を行うことから、生産スタッフによる手入力による保全要請よりも迅速に保全要請を発することができる。しかも、設備監視システム３８による保全要請が保全スタッフ事務所１２に設置された保全管理用モニタ２６に表示されることから、保全スタッフは設備監視システム３８による保全要請を早期に認識することが可能となり、保全作業が必要な設備に対する保全作業を早期に実施することができる。
【０１６４】
なお、本発明に係る設備保全支援システム及び設備保全支援方法は、上述の実施の形態に限らず、本発明の要旨を逸脱することなく、種々の構成を採り得ることはもちろんである。
【０１６５】
例えば図１に示すように、各倉庫１８にそれぞれ倉庫端末３４を設置するようにしてもよい。倉庫端末３４の構成としては、上述したコール端末３２や保全スタッフ端末２２と同様の構成を有してもよい。そして、保全スタッフのほか、在庫管理を行う担当者が倉庫端末３４を使用して入庫処理及び出庫処理を行うようにしてもよい。この場合、補修部品の情報の手入力に代えて、補修部品に付されたバーコードをバーコードリーダー４２にて読み取るようにしてもよい。これにより、各倉庫１８の在庫管理を効率よく行うことができる。
【図１】
0006711955.tif 000002
【図２】
0006711955.tif 000003
【図３】
0006711955.tif 000004
【図４】
0006711955.tif 000005
【図５】
0006711955.tif 000006
【図６】
0006711955.tif 000007
【図７】
0006711955.tif 000008
【図８】
0006711955.tif 000009
【図９】
0006711955.tif 000010
【図１０】
0006711955.tif 000011
【図１１】
0006711955.tif 000012
【図１２】
0006711955.tif 000013
【図１３】
0006711955.tif 000014
【図１４】
0006711955.tif 000015
【図１５】
0006711955.tif 000016
【図１６】
0006711955.tif 000017
【図１７】
0006711955.tif 000018
【図１８】
0006711955.tif 000019
【図１９】
0006711955.tif 000020
【図２０】
0006711955.tif 000021
【図２１】
0006711955.tif 000022
【図２２】
0006711955.tif 000023
【図２３】
0006711955.tif 000024
【図２４】
0006711955.tif 000025